(57)【特許請求の範囲】
【請求項１】
角部を有する目地部を介して設けられた一方の床躯体の目地部側に形成された目地プレート支持凹部と、この目地プレート支持凹部と対応する部位の他方の床躯体の目地部側に形成された反目地部側が傾斜面の目地プレートスライド支持凹部と、前記目地プレート支持凹部に枢支ピンで先端部が上方へ回動可能に支持され、先端部が目地プレートスライド支持凹部に支持された少なくとも１つの角部目地プレートと、この角部目地プレートの少なくとも１つの側面に連結され、目地プレート支持凹部に枢支ピンで先端部が上方へ回動可能に支持され、先端部が目地プレートスライド支持凹部に支持された連結目地プレートと、該連結目地プレートと前記角部目地プレートとを接続する連結機構と、角部目地プレート又は連結目地プレートが設けられていない部位の目地部を塞ぐ目地プレートとで構成される床用目地装置であって、前記連結機構は、角部目地プレートの少なくとも１つの側面の底面側に形成された角部目地プレート側連結具固定凹部と、該角部目地プレート側連結具固定凹部と対応する部位に、連結目地プレートに形成された連結目地プレート側連結具固定凹部と、前記角部目地プレート側連結具固定凹部および連結目地プレート側連結具固定凹部に取付けられた、前記角部目地プレートの側面と連結目地プレートが当接するように付勢するスプリングを介して連結する目地プレート連結具と、前記角部目地プレート側連結具固定凹部および連結目地プレート側連結具固定凹部にそれぞれ設けられ、目地部と直交する方向に係合する係合片とで構成され、前記連結具は角部目地プレート又は連結目地プレートに取り付けられ外方へ突出するボルトと、該ボルトに対応する位置の角部目地プレートの角部目地プレート側連結具固定凹部又は連結目地プレートの連結目地プレート側連結具固定凹部に取り付けられ、前記ボルトが挿入される長孔を有する略コ字状の連結金具と、前記長孔に挿入されたボルトのネジ部と螺合するナットと、連結金具とナットの間に介装された付勢スプリングとでなることを特徴とする床用目地装置。
【請求項２】
前記連結目地プレートは角部目地プレートの両側に連結されていることを特徴とする請求項１記載の床用目地装置。
【発明の詳細な説明】
【技術分野】
【０００１】
本発明はコーナー部分を有する目地部を介して設けられた左右の床躯体の間の目地部を塞ぐ床用目地装置に関する。
【背景技術】
【０００２】
従来、この種の床用目地装置は目地部のコーナー部分を塞ぐために、目地プレートの角部の１カ所のみを枢支ピンで枢支するとともに両側の目地プレートと接続具によって接続した角部目地プレートを設置していた。
【０００３】
しかし、このような角部目地プレートは、接続具のみによって角部目地プレートと両側の目地プレートを接続しているため、地震により目地プレートが床躯体等に乗り上げた際に、接続具に過剰な負荷がかかるという欠点があった。また、左右の目地プレート接続具は目地プレート内部に固定されているため、設置後のメンテナンスが出来ないという欠点もあった。
【先行技術文献】
【特許文献】
【０００４】
【特許文献１】特開２００９−６８２１２号公報
【発明の概要】
【発明が解決しようとする課題】
【０００５】
本発明は以上のような従来の欠点に鑑み、地震等によって揺れ動いた際に連結具に過剰な負荷かけることなく揺れ動きを吸収でき、地震が収まり目地プレートが通常状態に復帰した際に、ズレや隙間等が生じることなく、かつ、メンテナンス容易な連結具を備えた角部目地プレートを用いた床用目地装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明は角部を有する目地部を介して設けられた一方の床躯体の目地部側に形成された目地プレート支持凹部と、この目地プレート支持凹部と対応する部位の他方の床躯体の目地部側に形成された反目地部側が傾斜面の目地プレートスライド支持凹部と、前記目地プレート支持凹部に枢支ピンで先端部が上方へ回動可能に支持され、先端部が目地プレートスライド支持凹部に支持された少なくとも１つの角部目地プレートと、この角部目地プレートの少なくとも１つの側面に連結され、目地プレート支持凹部に枢支ピンで先端部が上方へ回動可能に支持され、先端部が目地プレートスライド支持凹部に支持された連結目地プレートと、該連結目地プレートと前記角部目地プレートとを接続する連結機構と、角部目地プレート又は連結目地プレートが設けられていない部位の目地部を塞ぐ目地プレートとで構成される床用目地装置であって、前記連結機構は、角部目地プレートの少なくとも１つの側面の底面側に形成された角部目地プレート側連結具固定凹部と、該角部目地プレート側連結具固定凹部と対応する部位に、連結目地プレートに形成された連結目地プレート側連結具固定凹部と、前記角部目地プレート側連結具固定凹部および連結目地プレート側連結具固定凹部に取付けられた、前記角部目地プレートの側面と連結目地プレートが当接するように付勢するスプリングを介して連結する目地プレート連結具と、前記角部目地プレート側連結具固定凹部および連結目地プレート側連結具固定凹部にそれぞれ設けられ、目地部と直交する方向に係合する係合片とで構成され、前記連結具は角部目地プレート又は連結目地プレートに取り付けられ外方へ突出するボルトと、該ボルトに対応する位置の角部目地プレートの角部目地プレート側連結具固定凹部又は連結目地プレートの連結目地プレート側連結具固定凹部に取り付けられ、前記ボルトが挿入される長孔を有する略コ字状の連結金具と、前記長孔に挿入されたボルトのネジ部と螺合するナットと、連結金具とナットの間に介装された付勢スプリングとでなることを特徴とする。
【発明の効果】
【０００８】
以上の説明から明らかなように、本発明にあっては次に列挙する効果が得られる。
（１）請求項１の発明においては、係合片の係合により目地部と直交する方向のズレを防止できるとともに、地震により目地部が狭くなり角部目地プレートが傾斜面に乗り上げた際にも、目地部と直交する方向の荷重を係合片が受けることができ、目地プレート連結具にかかる荷重を少なくすることができる。
（２）角部目地プレート側連結具固定凹部および連結目地プレート側連結具固定凹部を形成し、この部位に目地プレート連結具を備えているので、設置後も目地プレート連結具のメンテナンスを行うことができる。
（３）スプリングにより角部目地プレートの側面と連結目地プレートが当接するように付勢しているので、角部目地プレートの側面と連結目地プレートの間に隙間が生じることを確実に防止することができる。
（４）請求項２の発明においても前記（１）〜（３）と同様な効果が得られるとともに、角部目地プレートの２側面が連結目地プレートと連結されているので、より安定した状態で揺れ動きを吸収することができる。
（５）請求項３の発明においても前記（１）〜（４）と同様な効果が得られる。
【図面の簡単な説明】
【０００９】
【図１】本発明を実施するための第１の形態の平面図。
【図２】図１の２−２線に沿う断面図。
【図３】図１の３−３線に沿う断面図。
【図４】図１の４−４線に沿う断面図。
【図５】図４の要部拡大図。
【図６】本発明を実施するための第１の形態の角部目地プレートの説明図。
【図７】本発明を実施するための第１の形態の連結目地プレートの説明図。
【図８】本発明を実施するための第１の形態の連結機構の説明図。
【図９】本発明を実施するための第１の形態の地震で左右方向に揺れ動き目地部が狭くなった動作説明図。
【図１０】図９の１０−１０線に沿う断面図。
【図１１】本発明を実施するための第１の形態の地震で左右方向に揺れ動き目地部が広くなった動作説明図。
【図１２】図１１の１２−１２線に沿う断面図。
【図１３】本発明を実施するための第１の形態の異なる前後方向に揺れ動き目地部が狭くなった動作説明図。
【図１４】図１３の１４−１４線に沿う断面図。
【図１５】本発明を実施するための第１の形態の異なる前後方向に揺れ動き目地部が広くなった動作説明図。
【図１６】図１５の１６−１６線に沿う断面図。
【図１７】本発明を実施するための第２の形態の平面図。
【図１８】図１７の１８−１８線に沿う断面図。
【図１９】本発明を実施するための第１の形態の角部目地プレートの説明図。
【図２０】本発明を実施するための第１の形態の連結目地プレートの説明図。
【図２１】本発明を実施するための第２の形態の連結機構の説明図。
【発明を実施するための形態】
【００１０】
以下、図面に示す本発明を実施するための形態により、本発明を詳細に説明する。
【００１１】
図１ないし図１６に示す本発明を実施するための第１の形態において、１は目地部２を介して設けられた一方の床躯体３と他方の床躯体４間の目地部２を塞ぐ床用目地装置で、この床用目地装置１は、角部を有する目地部２、本実施の形態においては、アングル状の目地部２を介して設けられた一方の床躯体３の目地部側に形成された目地プレート支持凹部５と、この目地プレート支持凹部５と対応する部位の他方の床躯体４の目地部側に形成された反目地部側が傾斜面６の目地プレートスライド支持凹部７と、前記目地プレート支持凹部５に枢支ピン８で先端部が上方へ回動可能に支持され、先端部が目地プレートスライド支持凹部７に支持された方形状の角部目地プレート９と、この角部目地プレート９の少なくとも１つの側面に接続され、目地プレート支持凹部５に枢支ピン８で先端部が上方へ回動可能に支持され、先端部が目地プレートスライド支持凹部７に支持された連結目地プレート１０と、該連結目地プレート１０と前記角部目地プレート９とを接続する連結機構１１と、角部目地プレート９又は連結目地プレート１０が設けられていない部位の目地部を塞ぐ目地プレート３３とで構成されている。
【００１２】
また、前記連結機構１１は、角部目地プレート９の少なくとも１つの側面、本実施の形態においては２つの側面の底面側に形成された角部目地プレート側連結具固定凹部１２と、該角部目地プレート側連結具固定凹部１２と対応する部位であって、連結目地プレート１０に形成された連結目地プレート側連結具固定凹部１３と、前記角部目地プレート側連結具固定凹部１２および連結目地プレート側連結具固定凹部１３に取付けられた、前記角部目地プレート９の側面と連結目地プレート１０が当接するように付勢するスプリング１４を介して連結する目地プレート連結具１５と、前記角部目地プレート側連結具固定凹部１２および連結目地プレート側連結具固定凹部１３にそれぞれ設けられ、係合により目地部２と直交する方向のズレを防止する係合片１６とより構成されている。なお、連結する目地プレート連結具１５と係合片１６はそれぞれ複数個設けることが好適である。
【００１３】
前記角部目地プレート９は、平面視正方形状で、２つの側面の底面側に角部目地プレート側連結具固定凹部１２が形成された金属材製の角部目地プレート本体１７と、この角部目地プレート本体１７の目地プレート支持凹部５側の角部に設けられ、一方の床躯体３の目地プレート支持凹部５の角部付近に設けられた枢支ピン８が挿入されるピンボックス１８と、角部目地プレート本体１７内へ充填されたモルタルあるいはコンクリート１９と、このモルタルあるいはコンクリート１９の上面に貼り付けられた大理石等のタイルやレンガ等の床化粧板２０と、角部目地プレート本体１７の目地プレートスライド支持凹部７側の側面にヒンジ２１を介して取り付けられたカバープレート２２とで構成されている。なお、角部をカバーする角部カバープレートをカバープレート２２と一体又は別体で設けてもよい。
【００１４】
前記連結目地プレート１０は、平面視長方形状で前記角部目地プレート側連結具固定凹部１２と対応する部位に連結目地プレート側連結具固定凹部１３が形成された金属材製の連結目地プレート本体２３と、この連結目地プレート本体２３の後端両側部に設けられ、一方の床躯体３の目地プレート支持凹部５に設けられた枢支ピン８が挿入されるピンボックス２４と、連結目地プレート本体２３内へ充填されたモルタルあるいはコンクリート２５と、このモルタルあるいはコンクリート２５の上面に貼り付けられた大理石等のタイルやレンガ等の床化粧板２６と、連結目地プレート本体２３の先端部にヒンジ２７を介して取り付けられたカバープレート２８とで構成されている。なお、角部目地プレート９又は連結目地プレート１０が設けられていない部位の目地部２を塞ぐ目地プレート３４は、連結機構１１を有しない連結目地プレート１０と同様の構成のものが用いられる。
【００１５】
前記目地プレート連結具１５は、角部目地プレート９の内部に溶接により取り付けられ、外方である角部目地プレート側連結具固定凹部１２へ突出するボルト２９と、該ボルト２９に対応する位置の連結目地プレート１０の連結目地プレート側連結具固定凹部１３に溶接により取り付けられ、前記ボルト２９が挿入される長孔３０を有する略コ字状の連結金具３１と、前記長孔３０に挿入されたボルト２９のネジ部と螺合するナット３２と、連結金具３１とナット３２の間に介装されたスプリング１４とで構成されている。なお、角部目地プレート９に連結金具３１を固定し、連結目地プレート１０にボルト２９を固定する形態としてもよい。
【００１６】
前記係合片１６は、前記角部目地プレート側連結具固定凹部１２および連結目地プレート側連結具固定凹部１３にそれぞれ外方に突出するように固定されたプレート状の係合片１６で、角部目地プレート側連結具固定凹部１２に固定された係合片１６と、連結目地プレート側連結具固定凹部１３に固定された係合片１６が互い違いになるように配置されている。
【００１７】
地震で床躯体３、４が左右方向に揺れ動き目地部２が狭くなると、図９および図１０に示すように、目地プレート３３および角部目地プレート９が目地プレートスライド支持凹部７の傾斜面６に乗り上げ、揺れ動きを吸収する。このとき、目地プレート連結具１５のボルト２９は連結金具３１の長孔３０に沿って斜めに回動し、無理な荷重を受けることなく揺れ動きを吸収できる。なお、揺れ動きが収まった際に、隙間が生じてしまうような場合でもスプリング１４により角部目地プレート９が連結目地プレート１０側へ引き寄せられ、角部目地プレート９と連結目地プレート１０の間に隙間が生じることを防止できる。
地震で床躯体３、４が左右方向に揺れ動き目地部２が広くなると、図１１および図１２に示すように、目地プレート３３および角部目地プレート９が目地プレートスライド支持凹部７をスライド移動し、揺れ動きを吸収する。
【００１８】
地震で床躯体３、４が異なる前後方向に揺れ動き目地部２が狭くなると、図１３および図１４に示すように、角部目地プレート９、連結目地プレート１０および目地プレート３３が目地プレートスライド支持凹部７の傾斜面６に乗り上げ、揺れ動きを吸収する。このとき、角部目地プレート９および連結目地プレート１０がスライド移動した際に、目地プレート連結具１５の係合片１６が目地部と直交する方向の荷重を受けることができるのでボルト２９は、無理な荷重を受けることなく揺れ動きを吸収できる。また、地震による揺れ動きが収まった際に、係合片１６により角部目地プレート９および連結目地プレート１０が目地部と直交する方向にずれた状態で復帰することを防止することができる。
【００１９】
地震で床躯体３、４が異なる前後方向に揺れ動き目地部２が狭くなると、図１５および図１６に示すように、角部目地プレート９、連結目地プレート１０および目地プレート３３が目地プレートスライド支持凹部７をスライド移動し、揺れ動きを吸収する。なお、この時も係合片１６が荷重を受けることができるので、ボルト２９は、無理な荷重を受けることなく揺れ動きを吸収できる。
【００２０】
なお本実施の形態においては、角部目地プレート９の２つの側面に角部目地プレート側連結具固定凹部１２を形成して、２つの連結目地プレート１０を連結しているが、本発明はこれに限られず、１つの側面にのみ角部目地プレート側連結具固定凹部１２を形成し、１つの連結目地プレート１０のみを連結してもよい。
【００２１】
[発明を実施するための異なる形態]
次に、図１７ないし図２１に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２２】
図１７ないし図２１に示す本発明を実施するための第２の形態において、前記本発明を実施するための第１の形態と主に異なる点は、連結目地プレート側連結具固定凹部１３に溶接により取り付けられた略コ字状の連結金具３１を係合片１６Ａとして用いた連結目地プレート１０Ａと、一方の側面にのみ角部目地プレート側連結具固定凹部１２を形成し、前記連結金具３１（係合片１６Ａ）と係合する係合片３４を形成した台形状の角部目地プレート９Ａを２つ用いて、前記係合片３４に連結金具３１（係合片１６Ａ）を挿入、係合させ、目地部と直交する方向のズレを防止する連結機構１１Ａにした点で、このような構成の床用目地装置１Ａにしても前記本発明を実施するための第１の形態と同様な作用効果が得られる。
【産業上の利用可能性】
【００２３】
本発明は床用目地装置を製造する産業で利用される。
【符号の説明】
【００２４】
１、１Ａ：床用目地装置、          ２：目地部、
３：一方の床躯体、                ４：他方の床躯体、
５：目地プレート支持凹部、        ６：傾斜面、
７：目地プレートスライド支持凹部、８：枢支ピン、
９、９Ａ：角部目地プレート、
１０：連結目地プレート、          １１、１１Ａ：連結機構、
１２：角部目地プレート側連結具固定凹部、
１３：連結目地プレート側連結具固定凹部、
１４：スプリング、                １５：目地プレート連結具、
１６、１６Ａ：係合片、
１７：角部目地プレート本体、      １８：ピンボックス、
１９：モルタルあるいはコンクリート、
２０：床化粧板、                  ２１：ヒンジ、
２２：カバープレート、            ２３：連結目地プレート本体、
２４：ピンボックス、
２５：モルタルあるいはコンクリート、
２６：床化粧板、                  ２７：ヒンジ、
２８：カバープレート、            ２９：ボルト、
３０：長孔、                      ３１：連結金具、
３２：ナット、                    ３３：目地プレート、
３４：係合片。
【要約】      （修正有）【課題】地震等によって揺れ動いた際に安定して揺れ動きを吸収でき、メンテナンス容易な接続具を備えた角部目地プレートを用いた床用目地装置を提供する。【解決手段】床用目地装置１は、角部を有する目地部２を介して設けられた一方の床躯体３の目地部側に形成された目地プレート支持凹部５と、他方の床躯体４の目地部側に形成された反目地部側が傾斜面６の目地プレートスライド支持凹部７と、目地プレート支持凹部に枢支ピンで先端部が上方へ回動可能に支持され、先端部が目地プレートスライド支持凹部に支持された角部目地プレート９と、目地プレート支持凹部に先端部が上方へ回動可能に支持され、先端部が目地プレートスライド支持凹部に支持された連結目地プレート１０と、連結目地プレートと角部目地プレートとを接続する連結機構１１と、角部目地プレート又は連結目地プレートが設けられていない部位の目地部を塞ぐ目地プレート３３とで構成される。【選択図】図１【図１】
0005940696.tif 000002
【図２】
0005940696.tif 000003
【図３】
0005940696.tif 000004
【図４】
0005940696.tif 000005
【図５】
0005940696.tif 000006
【図６】
0005940696.tif 000007
【図７】
0005940696.tif 000008
【図８】
0005940696.tif 000009
【図９】
0005940696.tif 000010
【図１０】
0005940696.tif 000011
【図１１】
0005940696.tif 000012
【図１２】
0005940696.tif 000013
【図１３】
0005940696.tif 000014
【図１４】
0005940696.tif 000015
【図１５】
0005940696.tif 000016
【図１６】
0005940696.tif 000017
【図１７】
0005940696.tif 000018
【図１８】
0005940696.tif 000019
【図１９】
0005940696.tif 000020
【図２０】
0005940696.tif 000021
【図２１】
0005940696.tif 000022